(57)【要約】【課題】ばね板を三角状に折曲した形の綴じ金具を用いる紙綴じ器に、上記綴じ金具を装填する操作を簡単化することを目的とする。【解決手段】所定個数の綴じ金具を一列に並べ、相前後する綴じ金具同士を脆弱な接着剤で接着連結して、綴じ金具ユニットとし、紙綴じ器にはこのユニットを装填し、紙綴じを行うときは、紙綴じ器内の操作部材で上記ユニットから先頭の綴じ金具を引き離して押し出すことにより、紙束を綴じるようにした。【選択図】　図１
2004017598.tif 000002
【特許請求の範囲】
【請求項１】
ばね板を三角形状に折曲した形の綴じ金具を用いる紙綴じ器に用いられる上記綴じ金具を所定個数一列に並べて相互に前後する綴じ金具同士を相互に脆弱な接着剤で接着して綴じ金具の一ユニットとし，紙綴じ器に対し、このユニットの形で装填し得るようにした紙綴じ器用綴じ金具。
【請求項２】
ばね板を三角形状に折曲した形の綴じ金具を用いる紙綴じ器であって、綴じ金具が前後に並んで本体内に収納され、ばねにより蓋と連結された押し部材が上記綴じ金具列を後から押し、操作部材で綴じ金具を一個ずつ繰り出して紙綴じを行うようになっている紙綴じ器において、本体後部に可動爪を取付け、上記蓋を開いて閉じるとき蓋と上記ばねで連結されている上記押し部材がばねで前方に引かれるのを上記爪で阻止するようにし、上記爪を押しボタン操作で引き上げると、この爪と上記押し部材との係合が外れて押し部材が本体内に収納された綴じ金具列を後から押すようになることを特徴とする紙綴じ器。
【発明の詳細な説明】
【０００１】
【発明の属する技術分野野】
本発明は俗称「ガチャ玉」と言われる綴じ金具を押し出して紙束を綴じる紙綴じ器において、上記「ガチャ玉」を紙綴じ器に装填する際の装填操作を簡単迅速に出来るようにするための発明である。
【０００２】
【従来の技術】
板金を前縁が閉じた三角状コ字形に折曲した綴じ金具（俗称ガチャ玉）を用いる紙綴じ器は、手持ちの器体内に何個かの綴じ金具を予め装填しておき、操作部材により綴じ金具を一個ずつ押し出すのであるが、綴じ金具はホッチキスの針に比し、著しくかさ張るので、綴じ器に一度に装填できる数が少なく、頻繁に綴じ金具の装填をしなければならない。しかも装填は綴じ金具を一個ずつ入れて行くと云う操作であるから、面倒で且つ時間がかかると云う問題があった。
【０００３】
【発明が解決しようとする課題】
本発明は上述したような綴じ金具の綴じ器への装填を迅速簡単に行い得るようにすることを目的とする。
【０００４】
【課題を解決するための手段】
綴じ金具を綴じ器に一度に装填できる数だけ一列に並べて脆弱な接着剤で相互に接着して一単位の綴じ金具帯を作り、この綴じ金具帯を綴じ器に装填するようにした。このようにして操作部材を操作すると綴じ金具の帯の先端から一個ずつ綴じ金具が分離されて押し出される。
【０００５】
【発明の実施の形態】
一定個数の綴じ金具を方向を揃えて一列に並べ、前後する綴じ金具の相接する箇所で相互に接着して、一ユニットとし、このユニットをそのまゝ綴じ器に装填するようにし、綴じ器の操作部材の操作によって上記ユニットの前端から順次一個ずつ綴じ金具を分離して行くようにしたものである。綴じ器自体は通常のバラの綴じ金具でも使える。
【０００６】
図１に本発明の実施形態の一例を示す。１が綴じ金具で、ステンレスの板ばねを折曲して作られている。この例は綴じ金具５個を一ユニットとして、前側の綴じ金具の後面と後側の綴じ金具の唇状の前縁とを接着剤２で接着して帯状に繋げたものである。この接着剤はデンプン糊を主成分とし、変性ポリビニルアルコ−ルを混合し、水で稀釈したもので、乾くと比較的脆くて容易に引き離せるものである。また接着面積が小さいから、全体としての接着力も弱く分離し易い。
【０００７】
図２は上述した綴じ金具が適用される紙綴じ器の一例であるが、本発明の綴じ金具ユニットは綴じ金具を前方に押し出す型の市販の綴じ器であれば何れにも適用できるもので、特別の綴じ器を用意する必要はない。
他方本発明の紙綴じ器は上記のようなユニット化された綴じ金具でも普通のばらばらの綴じ金具でも適用できるものである。
図２で３が本体で、４は本体後端部で本体３にピン止めされた蓋でピン５を軸に図２Ｂに示すように開くことが出来る。Ｕは綴じ金具ユニットで、６は押し部材である。押し部材６はばね７により蓋４の前部に前後摺動可能に取り付けられている操作部材８と連結されており、このばねの縮み力によりユニットＵを前方（図では左方）へ押している。操作部材８を前方へ押動すると、綴じ金具ユニットの前端の一個がユニットから引き離されて前方へ押し出され、押し出された綴じ金具１は本体３内面両側の突起により唇状の前縁が拡げられ、紙束Ｐをくわえる。同時に綴じ金具ユニットＵは押し部材６により全体が前方に押動され、２番目の綴じ金具が次の使用に備えられる。
【０００８】
綴じ金具を使い切った綴じ器は、図２Ｂのように蓋４を開くと押し部材６はばね７に引かれて本体３内後端部に引き寄せられ、本体３内に空所が出来るから、新しいユニットＵを本体３内に収納し、蓋４を閉じる。従来はここで蓋４を開いた後、綴じ金具を一個ずつ装填していたから、綴じ金具の装填に手間がかかったのである。
【０００９】
上に述べた紙綴じ器は以下に述べるような特徴を備えている。従来の紙綴じ器は本発明の実施形態におけるＩ−Ｉ断面を示す図２Ｃを借りて説明すると、本体３は上面が完全に開いているのではなく、両側縁から内向きに綴じ金具の上にかぶさるように張り出しが設けられており、綴じ金具はこの張り出しが切れた本体後部から一個ずつ張り出しの下に潜り込ませるようにして本体内に装入されていた。このようにしているのは、操作部材８と押し部材６がばね７でつながっているので、蓋４を開いたときは押し部材６は本体後方に引かれているが、蓋４を閉じて来ると、蓋が或る位置を起こした所で、ばね７は押し部材６を前方へ引き出す方向に作用が反転し、押し部材６は加速されて今装入した綴じ金具の後端に衝突し、そのショックで、前後に並んだ綴じ金具が撥ね上がるので、これを防ぐため上述したように張り出しが設けられているのである。
【００１０】
上述した本発明の紙綴じ器は本体３の上面に従来例のような内向きの張り出しが無いので、蓋４を開いた後、前後接着された綴じ金具ユニットＵを一度に本体内に収納出来るが、このまゝでは蓋４を閉じたとき、押し部材６によりユニットは座屈して綴じ金具が浮上してしまうので、本体３の側面後部に可動爪１０を回動自在に取り付けた。この爪１０はピン１１で回動できるレバ−１２の前端に下向きに形成され、このレバ−の後端上面には押しボタン１３が突設されている。蓋４の後端（本体への枢着部に近い側）には切欠き１４が設けられていて、蓋４を閉じても、この押しボタン１３は外に出ているようになっている。
【００１１】
このような構造で蓋４を閉じると、従来例と同様、押し部材６はばね７で前方へ引かれるが、爪１０に当たって前進を阻止され、綴じ金具の列が撥ね上がるのが防がれる。蓋４を閉じてしまってから押しボタン１３を押下すると押し部材６と爪１０の係合が外れて押し部材６は自由になり、綴じ金具の列を後から押すようになるが、このときは既に綴じ金具列の上が蓋４で押えられているので浮き上がり、列が乱れることはないのである。
本発明の紙綴じ器はこのようになっているので、綴じ金具が連結されてユニットになっている場合は勿論、綴じ金具がばらばらであっても、本体の上面が全面的に開いているので、従来例より綴じ金具の装填が容易になるのである。
【００１２】
図３は本発明の他の実施形態を示す。この例では、綴じ金具１は上下に積んだ状態で上下の綴じ金具が互いの後面の切曲角同士で接着剤２で接続されて一ユニットとなる。この型では同じユニット長さでも綴じ金具１の数を前例より多くすることが出来る。
【００１３】
この型のユニットを使う紙綴じ器の一例を図４に示す。図４Ｃはこの綴じ器を実際に使うときの状態を示す。綴じ器は縦に持って下部のクチバシ状の部分で紙束をくわえ込み、紙綴じ器本体３とレバ−９を手で握ることで綴じ金具が押し出され紙束Ｐを綴じるのである。
本体３は背側が開いており、上端部でピン止めされた蓋４を有する。更に本体の背面にかぶさるようにレバ−９が本体３の上端に枢着される。蓋４の下端にはレバ−９に連結された操作部材８が貫通する窓孔があり、この窓孔を通して操作部材８は本体３内に突出し、綴じ金具ユニットＵの一番下の綴じ金具を左方に押し出すようになっている。
【００１４】
この綴じ器に綴じ金具ユニットを装填するには、図４Ｂに示すように先ずレバ−９を起こし、次に蓋４を起こして開く。そして図４Ａに示すような状態でユニットＵを本体１内に装入し、上述と反対の順序で蓋４とレバ−９を閉じればよいのである。
綴じ金具ユニットは綴じ金具を使う毎に自重で一個分ずつ降下するようにしているが、前例と同じように蓋４とばね７で連結された押し部材６によりユニットを下方に押圧するようにしておいても良い。
また図示はしないが、図３の型の綴じ金具ユニットはこのユニットを装填したカセットを紙綴じ器に着脱する形の紙綴じ器にも適用できるものである。
【００１５】
【発明の効果】
綴じ金具を用いる紙綴じ器は、綴じ金具がホッチキスの針と較べて大型であるため、綴じ器に収納できる綴じ金具が少数であり、頻繁に綴じ金具を補充しなければならないが、綴じ金具の装填作業そのものが単純ではない。つまり綴じ金具を一個ずつ、方向を決めて綴じ器の挿入口へ入れてやる必要があるのである。
これに対して本発明によれば、一定個数の綴じ金具が相互接着されて一ユニットになっているので、一ユニットを装填すると云う一回だけの操作で、綴じ金具の補充を終わることが出来、かつ本発明は特別の綴じ器でなく、一般市販の紙綴じ器に適用できる特徴がある。
【図面の簡単な説明】
【図１】本発明の実施形態の一例による綴じ金具ユニットの側面図。
【図２】上記綴じ金具ユニットが適用される紙綴じ器の一例の側面図。
【図３】本発明の実施形態の他の例による綴じ金具ユニットの側面図。
【図４】上記綴じ金具ユニットが適用される紙綴じ器の側面図。
【符号の説明】
１　　　綴じ金具
２　　　接着剤
３　　　紙綴じ器本体
４　　　蓋
５　　　ピン
６　　　押し部材
７　　　ばね
８　　　操作部材
９　　　レバ−
Ｕ　　　綴じ金具ユニット
Ｐ　　　紙束
【図１】
2004017598.tif 000003
【図２】
2004017598.tif 000004
【図３】
2004017598.tif 000005
【図４】
2004017598.tif 000006